(57)【特許請求の範囲】
【請求項１】
複数の周壁により箱状に設けられたケース本体、及び、前記ケース本体の複数の周壁の縁部により構成される開口を覆うカバー、から構成されるケースと、前記ケース本体内を複数の空間に区画する隔壁と、前記隔壁により区画された空間内にそれぞれ収容され、電線が引き出されているブロックと、を備え、前記電線を通して外部に引き出すための通し穴が前記ケースに設けられた電気接続箱において、
前記ブロックから引き出された電線が、前記隔壁と前記周壁との間、又は、前記隔壁と前記隔壁との間を通り、当該隔壁と周壁との間、又は、前記隔壁と前記隔壁との間に保持された後に、前記通し穴に通され、
前記電線を保持する隔壁が、他のカセットブロックを囲む隔壁よりも高く設けられている
ことを特徴とする電気接続箱。
【請求項２】
前記保持された電線が、アルミ電線を含む
ことを特徴とする請求項１に記載の電気接続箱。
【発明の詳細な説明】
【技術分野】
【０００１】
本発明は、例えば、自動車のエンジンルームなどに取り付けられ、ヒューズやリレーなどの電気部品を収容する電気接続箱に関するものである。
【背景技術】
【０００２】
自動車には多種多様な電子機器が搭載されている。これら多種多様な電気機器に電力を供給するために、前記自動車には、電線と前記電子機器との間の適宜箇所に、電気接続箱が配置されている。この電気接続箱は、車種によりいろいろなものが用いられているが、例えば、図４及び図５に示すように、合成樹脂製のケース本体４と、このケース本体４の上方に取り付けられる図示しないアッパーカバーと、このケース本体４の下方に取り付けられるロアカバー５と、で構成されるケース１内に各種の電気部品が保持されたブロックが収容されたものがある。また、この電気接続箱は、前記自動車のエンジンルームなどに取り付けられている。
【０００３】
上述したケース本体４には、ケース本体４内を複数の空間に区画する隔壁４２が設けられている。そして、この隔壁４２により区画された空間内にそれぞれ、カセットブロック２やパワーインテグレーション（以下Ｐ／Ｉ）３が収容されている。上記カセットブロック２は、ヒューズやリレーなどの電気部品を保持するブロックであり、Ｐ／Ｉ３は、ヒューズやリレーを実装した基板を保持するブロックである。
【０００４】
これらカセットブロック２やＰ／Ｉ３にはそれぞれ、ロアカバー５側にワイヤハーネス（以下Ｗ／Ｈ）Ｌ１、Ｌ２が引き出されている。Ｗ／ＨＬ１、Ｌ２は、複数の電線を束ねたものである。また、ケース本体４及びロアカバー５には、これらＷ／ＨＬ１、Ｌ２を通して外部に引き出すための通し穴としての通し部９が設けられている。従来より、カセットブロック２やＰ／Ｉ３から引き出されたＷ／ＨＬ１、Ｌ２は、図５に示すように、隔壁４２とロアカバー５との間を通って上記通し部９に通される（特許文献１及び２）。
【０００５】
このため、Ｗ／ＨＬ１、Ｌ２を構成する電線の本数が多いと、特に電線が密集する通し部９付近のケース本体４の隔壁４２とロアカバー５との間に収まりきらず、ロアカバー５が閉まらない、という問題があった。ロアカバー５を無理やり閉めると、Ｗ／ＨＬ１、Ｌ２が無理やりケース本体４の隔壁４２とロアカバー５との間に押し込まれるため、これらケース本体４の隔壁４２とロアカバー５とによりＷ／ＨＬ１、Ｌ２を構成する電線に大きな外力がかかったり、電線が無理に曲げられた状態で収容され、電線が傷んでしまう。特に、電線として、強度の弱いアルミ電線が用いられる場合、電線の傷みが生じやすい。
【０００６】
また、図４及び図５に示すＰ／Ｉ３のように、通し部９の近くから電線が引き出される場合、そのＰ／Ｉ３から引き出されたＷ／ＨＬ２と、通し穴９から離れた位置に配置されたカセットブロック２から引き出されたＷ／ＨＬ１と、が干渉してしまい、より一層、ロアカバー５が閉まりにくくなる。この場合も、ロアカバー５を無理やり締めると、上述したようにＷ／ＨＬ１、Ｌ２を構成する電線が傷む恐れがある。また、Ｐ／Ｉ３と、Ｐ／Ｉ３から引き出されるＷ／ＨＬ２と、を接続するコネクタの端子加締め部に負荷がかかり、電気接触不良になる恐れがあった。
【０００７】
そこで、上記問題を解決するために、従来ではロアカバー５と隔壁４２との隙間を大きくして、電線が傷まないようにすることが考えられていた。しかしながら、ロアカバー５と隔壁４２との隙間を大きくすると、ロアカバー５の容量が大きくなり、ケース１全体が大型化する、という問題があった。
【先行技術文献】
【特許文献】
【０００８】
【特許文献１】特開２０１０−５１０９４号公報
【特許文献２】特開２００６−２８００３８号公報
【発明の概要】
【発明が解決しようとする課題】
【０００９】
そこで、本発明は、電線を傷めることなくカバーの容量を小さくしてケースの小型化を図った電気接続箱を提供することを課題とする。
【課題を解決するための手段】
【００１０】
上述した課題を解決するための請求項１記載の発明は、複数の周壁により箱状に設けられたケース本体、及び、前記ケース本体の複数の周壁の縁部により構成される開口を覆うカバー、から構成されるケースと、前記ケース本体内を複数の空間に区画する隔壁と、前記隔壁により区画された空間内にそれぞれ収容され、電線が引き出されているブロックと、を備え、前記電線を通して外部に引き出すための通し穴が前記ケースに設けられた電気接続箱において、前記ブロックから引き出された電線が、前記隔壁と前記周壁との間、又は、前記隔壁と前記隔壁との間を通り、当該隔壁と周壁との間、又は、前記隔壁と前記隔壁との間に保持された後に、前記通し穴に通され、前記電線を保持する隔壁が、他のカセットブロックを囲む隔壁よりも高く設けられていることを特徴とする電気接続箱に存する。
【００１１】
請求項２記載の発明は、前記保持された電線が、アルミ電線を含むことを特徴とする請求項１に記載の電気接続箱に存する。
【発明の効果】
【００１３】
以上説明したように請求項１記載の発明によれば、ブロックから引き出された電線が、隔壁と周壁との間、又は、隔壁と隔壁との間を通り、当該隔壁と周壁との間、又は、隔壁と隔壁との間、に保持された後に、通し穴に通されているので、電線がカバーと隔壁との間に押し込まれることない。このため、カバーの容量を大きくすることなく、電線を外力や無理な曲げから保護して、内部に配索された電線の傷みを防止できる。よって、電線を傷めずにカバーの容量を小さくしてケースの小型化を図ることができる。また、電線を保持する隔壁が、他のカセットブロックを囲む隔壁よりも高く設けられているので、電線を通す周壁と隔壁とのスペース、又は、隔壁と隔壁とのスペースを大きくすることができる。また、電線に保持される電線は、低いカセットブロックを囲む隔壁を乗り越えて隔壁と周壁との間、又は、周壁と周壁との間に、に通されるため、電線がムダに折り曲げられることがない。
【００１４】
請求項２記載の発明によれば、強度の弱いアルミ電線を確実に保護することができる。
【図面の簡単な説明】
【００１６】
【図１】本発明の一実施形態に係る電気接続箱を示す斜視図である。
【図２】図１のＩ−Ｉ線断面図である。
【図３】図１に示す電気接続箱を構成するケース本体をロアケース側から見た図である。
【図４】従来の電気接続箱の一例を示す斜視図である。
【図５】図４のＩＩ−ＩＩ線断面図である。
【発明を実施するための形態】
【００１７】
以下、本発明の一実施形態にかかる電気接続箱を、図１ないし図３に基づいて説明する。図１は、本発明の一実施形態に係る電気接続箱を示す斜視図である。なお、図１は、ケースを構成するケース本体からアッパーカバーが外された状態を示す。図２は、図１のＩ−Ｉ線断面図である。図３は、図１に示す電気接続箱を構成するケース本体をロアケース側から見た図である。なお、図３は、Ｐ／Ｉ３から引き出されたＷ／ＨＬ２については省略されている。
【００１８】
本実施形態にかかる電気接続箱１０は、自動車のエンジンルームなどに取り付けられ、リレー、ヒューズ、バスバーなどの電気部品を収容すると共に、これら電気部品とこの自動車に搭載された多種多様な電気機器とを予め定められたパターンに従って電気的に接続するものである。
【００１９】
このような電気接続箱１０は、当該電気接続箱を形成するケース１と、このケース１内に収容されるカセットブロック２及びＰ／Ｉ３と、を備えている。まず、ケース１について説明する前に、上述したカセットブロック２及びＰ／Ｉ３の構成について説明する。前述したカセットブロック２は、絶縁性の合成樹脂で構成され、周知の射出成型により形成されている。このカセットブロック２には、図示しないヒューズやヒュージブルリンク、リレー、バスバーなどの電気部品が装着される。
【００２０】
前述したＰ／Ｉ３は、絶縁性の合成樹脂で構成された箱状のケースを備え、このケース内にヒューズやリレーなどの電気部品が実装され、これらヒューズやリレーの配線パターンが形成された図示しない基板が内蔵されている。これら、カセットブロック２及びＰ／Ｉ３には、外部の電子機器に接続するために、複数の電線から構成されたＷ／ＨＬ１、Ｌ２がそれぞれ引き出されている（図２参照）。なお、Ｗ／ＨＬ１は、カセットブロック２から引き出され、Ｗ／ＨＬ２は、Ｐ／Ｉ３から引き出されている。また、Ｗ／ＨＬ１の中には、強度の弱いアルミ電線が含まれている。
【００２１】
上述したＷ／ＨＬ１は、図３に示すように、カセットブロック２の後述するケース１を構成するロアカバー５側、即ち鉛直方向Ｋ下側から引き出された状態で後述するケース１内に収容されている。また、図２に示すように、Ｐ／Ｉ３にはロアカバー５側にコネクタ３１が設けられていて、このコネクタ３１に接続されるＷ／ＨＬ２は、Ｐ／Ｉ３のロアカバー４側、即ち鉛直方向Ｋ下側から引き出された状態で後述するケース１内に収容されている。さらに、図３からも明らかなように、Ｐ／Ｉ３は、カセットブロック２の鉛直方向Ｋの高さよりも高く設けられていて、Ｐ／Ｉ３から引き出されるＷ／ＨＬ２は、他のカセットブロック２から引き出されるＷ／ＨＬ１よりもロアカバー５側から引き出される。
【００２２】
次に、ケース１の構成について説明する。上記ケース１は、図１に示すように、上述したカセットブロック２及びＰ／Ｉ３を収容するケース本体４と、このケース本体４の上方に着脱可能に設けられた図示しないアッパーカバーと、このケース本体４の上方に着脱可能に設けられたカバーとしてのロアカバー５と、このケース本体４の側面に着脱可能に設けられたサイドカバー６と、を有している。これらケース本体４と、図示しないアッパーカバーと、ロアカバー５と、サイドカバー６と、は、絶縁性の合成樹脂で構成され、周知の射出成型により形成されている。
【００２３】
上記ケース本体４は、図１及び図３に示すように、鉛直方向Ｋに沿って伸び互いに連なる複数の周壁４１Ａ〜４１Ｅにより鉛直方向Ｋの両側に開口が設けられた筒状に設けられている。また、上記ケース本体４には、図３に示すように、隔壁４２Ａ〜４２Ｅが設けられ、この隔壁４２Ａ〜４２Ｅによって複数の空間に区画されている。そして、ケース本体４内の隔壁４２Ａ〜４２Ｅによって区画された複数の空間内にそれぞれ、後述するカセットブロック２及びＰ／Ｉ３が収容されている。
【００２４】
上記図示しないアッパーカバーは、上記ケース本体４の周壁４１Ａ〜４１Ｆの鉛直方向Ｋ上側縁部により構成される開口を覆う天井壁と、この天井壁の外縁から鉛直方向Ｋ下側に向かって立設した周壁と、により鉛直方向Ｋ下側に向かって開口した箱状に形成されており、ケース本体４の周壁４１Ａ〜４１Ｆの鉛直方向Ｋ上側縁部により構成される開口を覆うようにケース本体４の上方に取り付けられている。
【００２５】
また、ケース本体４の周壁４２Ａ〜４１Ｆと図示しないアッパーカバーの周壁と、には、ケース本体４とアッパーカバーとを互いに固定する図示しないロック部が複数設けられている。このロック部は、ケース本体４の周壁４１Ａ〜４１Ｆから外側に向かって突起する突起部７と、アッパーカバーの周壁から鉛直方向Ｋ下側に向かって突起して設けられ、ケース本体４の周壁４１に設けた突起部７と係止可能に設けられた図示しないロックアームと、で構成されている。
【００２６】
上記ロアカバー５は、上記ケース本体４の周壁４１Ａ〜４１Ｆの鉛直方向Ｋ下側縁部により構成される開口を覆う底壁５１と、この底壁５１の外縁から鉛直方向Ｋ上側に向かって立設した周壁５２と、により鉛直方向Ｋ上側に向かって開口した箱状に形成されており、ケース本体４の周壁４１Ａ〜４１Ｆの鉛直方向Ｋ下側縁部により構成される開口を覆うようにケース本体４の下方に取り付けられている。
【００２７】
また、ケース本体４の周壁４１Ａ〜４１Ｆとロアカバー５の周壁５２と、には、図１に示すように、ケース本体４とロアカバー５とを互いに固定するロック部８が複数設けられている。このロック部８は、ケース本体４の周壁４１Ａ〜４１Ｆから外部に向かって突出する断面コ字状の係止受け部８１と、ロアカバー５の周壁５２から鉛直方向Ｋ上側に向かって突起して設けられ、ケース本体４の周壁４１と係止受け部８１との間に形成される係止穴に挿入されると係止受け部８１に係止するように設けられたロックアーム８２と、で構成されている。
【００２８】
また、上述したケース本体４とロアカバー５と、には、図１及び図３に示すように、上述したＷ／ＨＬ１、Ｌ２を通して外部に引き出すための通し穴が形成される筒状の通し部９が設けられている。通し部９は、通し部本体９１と、ベラ９２と、に分割されて設けられている。上記通し部本体９１は、ケース本体４の互いに隣り合う周壁４１Ａと周壁４１Ｂとの間の角部から外部に向かって突設された樋状に設けられ、鉛直方向Ｋ下側に開口するように設けられている。上記ベラ９２は、ロアカバー５から突設され、通し部本体９１の開口を塞ぐように設けられている。上述したカセットブロック２やＰ／Ｉ３から引き出されたＷ／ＨＬ１、Ｌ２は、この通し部９に向かってケース１内に配索される。
【００２９】
次に、上述した通し部本体９１とケース本体４に設けられた隔壁４２Ａ〜４２Ｅとの位置関係について図３を参照して説明する。上記隔壁４２Ａ、４２Ｂは、通し部本体９１が突設された互いに隣り合う周壁４１Ａ、４１Ｂの一方である周壁４１Ａと平行に互いに離間して設けられ、その通し部本体９１側の端部は、通し部本体９１が突設された互いに隣り合う周壁４１Ａ、４１Ｂの他方である周壁４１Ｂに連結されている。
【００３０】
周壁４１Ａ側の隔壁４２Ａと周壁４１Ａとの間には、隙間が設けられていて、その間にカセットブロック２から引き出されたＷ／ＨＬ１が配索される。また、上記周壁４２Ｃは、周壁４２Ａ、４２Ｂの通し部本体９１から離れた端部同士を連結する。上述した周壁４２Ａ〜４２ＣがＰ／Ｉ３の装着部となり、これら隔壁４２Ａ〜４２Ｃに囲まれた空間内にＰ／Ｉ３が収容される。また、上記隔壁４２Ｃと、周壁４１Ａの通し部本体９１から離れた側に隣接する周壁４１Ｆと、の間には、隙間が設けられていて、その間にカセットブロック２が収容される。この隔壁４２Ｃと周壁４１Ｆとの隙間に収容されたカセットブロック２は、当然、ケース本体４内においてＰ／Ｉ３よりも通し部９から離れた位置に配置される。
【００３１】
また、隔壁４２Ｄは、隔壁４２Ｂと、ケース本体４の周壁４１Ｄ及び４１Ｅが交わる部分と、の間に設けられている。また、上記隔壁４２Ｅは、周壁４２Ｂよりも周壁４１Ａから離れた側の空間を２分割するように、周壁４１Ａと略平行に設けられている。この隔壁４２Ｄにより２分割された各空間にはそれぞれカセットブロック２が収容されている。この隔壁４２Ｄにより２分割された各空間に収容されたカセットブロック２も、当然、ケース本体４内においてＰ／Ｉ３よりも通し部９から離れた位置に配置される。
【００３２】
以上のことから明らかなように、カセットブロック２及びＰ／Ｉ３のうちＰ／Ｉ３が通し部９の最も近くに配置されている。そして、これらカセットブロック２から引き出されるＷ／ＨＬ１は、上記隔壁４２Ｃと、この隔壁４２Ｃの外側を覆う周壁４１Ｅと、の間、上記隔壁４２Ｃと、この隔壁４２Ｃの外側を覆う周壁４１Ｆと、の間、上記隔壁４２Ａと、この隔壁４２Ａの外側を覆う周壁４１Ａと、の間、を通って通し部９に通される。
【００３３】
一方、Ｐ／Ｉ３は、隔壁４２Ａとロアカバー５との間、即ち隔壁４２Ａの鉛直方向Ｋ下側の端面を通り、周壁４１Ａ、４１Ｅ、４１Ｆと隔壁４２Ａ〜４２Ｃとの間を通ることなく、通し穴９に通される。即ち、通し部９付近においてＰ／Ｉ３から引き出されたＷ／ＨＬ２は、カセットブロック２から引き出されたＷ／ＨＬ１の鉛直方向Ｋ下側に配索される。また、通し部９の最も近い位置に配されるＰ／Ｉ３を囲む隔壁４２Ａ〜４２Ｃが、他のカセットブロック２を囲む隔壁４２Ｄ、４２Ｅよりも高く設けられている。
【００３４】
また、上述したサイドカバー６は、上述したケース本体４の周壁４１Ａに設けられた内側に鉛直方向Ｋに沿って凹の溝部４３（図３）にスライド挿入可能に設けられている。上記サイドカバー６とケース本体４と、には、サイドカバー６とケース本体４とを互いに固定するロック部が２つ設けられている。
【００３５】
このロック部は、サイドカバー６から外部に向かって突出する断面コ字状の係止受け部１０と、ケース本体４の周壁４１Ａから鉛直方向Ｋ上側に向かって突起して設けられ、サイドカバー６と係止受け部１０との間に形成される係止穴に挿入されると係止受け部に係止するように設けられた図示しないロックアームと、で構成されている。上述したサイドカバー６は、筒状に設けられていて、その内部にカセットブロック２、Ｐ／Ｉ３から引き出されたバッテリに接続される図示しないＷ／Ｈを通すことができる。
【００３６】
上述したサイドカバー６を設けることにより、図３に示すように、サイドカバー６が挿入される溝部４３と隔壁４２Ａとの間が、周壁４１Ａ、４１Ｅ、４１Ｆと隔壁４２Ａ〜４２Ｃとの隙間が最も小さくなる箇所である。この寸法Ｘは、溝部４３と隔壁４２Ａとの間を通るＷ／ＨＬ１が保持できるような寸法に形成されている。即ち、溝部４３と隔壁４２ＡとによりＷ／ＨＬ１に力が加えられてＷ／ＨＬ１がその隙間から抜け落ちないような寸法に形成されている。なお、請求項中の「隔壁と周壁との間に保持された」とは、図３に示すように、少なくとも一部の隔壁４２Ａと溝部４３（周壁４１Ａ）との間で保持されていれば良い。
【００３７】
上述した実施形態によれば、カセットブロック２から引き出されたＷ／ＨＬ１が、隔壁４２Ａ〜４２Ｃと周壁４１Ａ、４１Ｅ、４１Ｆとの間を通り、当該隔壁４２Ａと周壁４１Ａとの間に保持された後に、通し穴９に通されているので、Ｗ／ＨＬ１がロアカバー５と隔壁４２Ａとの間に押し込まれることない。このため、ロアカバー５の容量を大きくすることなく、Ｗ／ＨＬ１を外力や無理な曲げから保護して、内部に配索されたＷ／ＨＬ１、Ｌ２の傷みを防止できる。よって、Ｗ／ＨＬ１、Ｌ２を傷めずにロアカバー５の容量を小さくしてケース１の小型化を図ることができる。
【００３８】
また、上述した実施形態によれば、保持されたＷ／ＨＬ１が、アルミ電線を含むので、強度の弱いアルミ電線を確実に保護することができる。
【００３９】
また、上述した実施形態によれば、図２に示すように、通し部９に最も近い位置に配されるＰ／Ｉ３から引き出されたＷ／ＨＬ２が、隔壁４２Ａとロアカバー５との間を通って通し部９に通され、残りのカセットブロック２から引き出されたＷ／ＨＬ１が、隔壁４２Ａ〜４２Ｃと周壁４１Ａ、４１Ｅ、４１Ｆとの間を通って通し部９に通されているので、通し部９に最も近い位置に配されるＰ／Ｉ３から引き出されたＷ／ＨＬ２と、Ｐ／Ｉ３よりも通し部９から離れた側に配置されたカセットブロック２から引き出されたＷ／ＨＬ１と、が干渉することがない。よって、より一層、Ｗ／ＨＬ１、Ｌ２の傷めずにロアカバー５の容量を小さくしてケース１の小型化を図ることができる。
【００４０】
また、上述した実施形態によれば、通し部９に最も近い位置に配されるＰ／Ｉ３を囲む隔壁４２Ａ〜４２Ｃ、即ち、Ｗ／ＨＬ１を保持する隔壁４２Ａが、他のカセットブロック２を囲む隔壁４２Ｄ、４２Ｆよりも高く設けられている。Ｗ／ＨＬ１を通す周壁４１Ａ、４１Ｅ、４１Ｆと隔壁４２Ａ〜４２Ｃとのスペースを大きくすることができる。また、例えば、隔壁４２Ｅよりも通し部９から離れた側の空間に収容されたカセットブロック２から引き出されたＷ／ＨＬ１は、そのカセットブロック２を囲む隔壁４２Ｄ、４２Ｅの鉛直方向Ｋ下側の端面を乗り越えた後、周壁４１Ａ、４１Ｅ、４１Ｆと隔壁４２Ａ〜４２Ｃの間に通される。このとき、隔壁４２Ｄ、４２Ｅが、隔壁４２Ａ〜４２Ｃと同じ高さだと、隔壁４２Ｅ、４２Ｄを乗り越えた後、Ｗ／ＨＬ１を鉛直方向Ｋ上側に折り曲げて周壁４１Ａ、４１Ｅ、４１Ｆと隔壁４２Ａ〜４２Ｃとの間に通す必要があるが、本実形態では、隔壁４２Ｄ、４２Ｅを隔壁４２Ａ〜４２Ｃよりも低く設けているため、Ｗ／ＨＬ１がムダに折り曲げられることがない。
【００４１】
なお、上述した実施形態によれば、Ｗ／ＨＬ１は、隔壁４２Ａと周壁４１Ａとの間を通り、この隔壁４２Ａと周壁４１Ａとの間に保持されていたが、本発明はこれに限ったものではない。Ｗ／ＨＬ１としては、隔壁４２Ａ〜４２Ｅと隔壁４２Ａ〜４２Ｅとの間を通り、この隔壁４２Ａ〜４２Ｅと隔壁４２Ａ〜４２Ｅとの間に保持されていてもよい。
【００４２】
また、上述した実施形態によれば、Ｐ／Ｉ３から引き出されたＷ／ＨＬ２は隔壁４２Ａ〜４２Ｃと周壁４１Ａ、４１Ｅ、４１Ｆとの間を通っていなかったが本発明はこれに限ったものではない。Ｐ／Ｉ３が通し部９からある程度離れた位置に配置されていれば、隔壁４２Ａ〜４２Ｃと周壁４１Ａ、４１Ｅ、４１Ｆとの間を通って通し部９に通してもよい。
【００４３】
また、上述した実施形態によれば、通し部９に最も近いブロックがＰ／Ｉ３であったが、本発明はこれに限ったものではない。他のカセットブロック２が通し部９に最も近くなるように配置されていてもよい。
【００４４】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４５】
２  カセットブロック（ブロック）
３  Ｐ／Ｉ（ブロック）
４  ケース本体
５  ロアカバー（カバー）
１０  電気接続箱
４１Ａ〜４１Ｆ  周壁
４２Ａ〜４２Ｅ  隔壁
Ｌ１  Ｗ／Ｈ（電線）
Ｌ２  Ｗ／Ｈ（電線）
【図１】
0005608470.tif 000002
【図２】
0005608470.tif 000003
【図３】
0005608470.tif 000004
【図４】
0005608470.tif 000005
【図５】
0005608470.tif 000006